(57)【要約】  【課題】  本発明の課題は、コンピュータのハウジングや周囲に、発光フリッカーで綺麗な造型を形成できる、マザーボードのデジタル音源で冷陰極の発光フリッカーを制御する方法及び装置を提供する。  【解決手段】  本発明の解決手段は、少なくとも一つの冷陰極（Cold CathodeFluorescent Lamp、CCFL）と、マザーボードと、制御回路とを有し、当該冷陰極（CCFL）には、高圧電線が接続され、高圧電源が放電することによって、少なくとも一色の光源を放出し、また、当該マザーボード上に、音響効果ソフトウェアを実行して、発光パルス信号を当該制御回路へ出力し、当該制御回路は、当該冷陰極（CCFL）の高圧電線に電気的に接続され、当該発光パルス信号を受信して、それを当該高圧電源に変換、当該冷陰極（CCFL）を発光フリッカーさせる。【選択図】図２
2005259675.tif 000002
【特許請求の範囲】
【請求項１】
マザーボードが、電力源を供給して、高圧電源に昇圧して、少なくとも一つの冷陰極（Cold  Cathode  Fluorescent  Lamp、CCFL）を点灯し、
当該マザーボード上にあるデジタル音声信号を捕獲（キャプチャ）し、音声周波数の高さや音量の大きさに従って、発光パルス信号に変換し、
また、当該発光パルス信号で当該電力源の開閉を制御し、これにより、当該冷陰極の発光フリッカーを制御する、
ことを特徴とする、マザーボードのデジタル音源で冷陰極（Cold  Cathode  Fluorescent  Lamp、CCFL）の発光フリッカーを制御する方法。
【請求項２】
当該マザーボードが供給する電力源は、当該マザーボードのコンピュータ接続ポートを介して、供給する、ことを特徴とする、請求項１記載のマザーボードのデジタル音源で冷陰極の発光フリッカーを制御する方法。
【請求項３】
当該コンピュータ接続ポートは、ユニバーサルシリアルバス(Universal  Serial  Bus、USB)や並列転送ポート或いは直列の転送ポートである、ことを特徴とする、請求項２記載のマザーボードのデジタル音源で冷陰極の発光フリッカーを制御する方法。
【請求項４】
当該デジタル音声信号を捕獲（キャプチャ）するのは、音響効果ソフトウェアを実行して、当該デジタル音声信号を生成する、ことを特徴とする、請求項１記載のマザーボードのデジタル音源で冷陰極の発光フリッカーを制御する方法。
【請求項５】
当該音響効果ソフトウェアは、少なくとも一つの出力音量制御オプションがあり、音量の大きさに従って、当該発光パルス信号の出力を制御する、ことを特徴とする、請求項４記載のマザーボードのデジタル音源で冷陰極の発光フリッカーを制御する方法。
【請求項６】
当該音響効果ソフトウェアは、少なくとも一つの出力音声周波数制御オプションがあり、音声周波数の高さに従って、当該発光パルス信号の出力を制御する、ことを特徴とする、請求項４記載のマザーボードのデジタル音源で冷陰極の発光フリッカーを制御する方法。
【請求項７】
当該音響効果ソフトウェアは、少なくとも一つの出力音量制御オプション及び出力音声周波数制御オプションがあり、音量の大きさ及び音声周波数の高さに従って、当該発光パルス信号の出力を制御する、ことを特徴とする、請求項４記載のマザーボードのデジタル音源で冷陰極の発光フリッカーを制御する方法。
【請求項８】
コンピュータのハウジングや周囲に発光フリッカーで綺麗な造型を形成でき、
高圧電線が接続され、高圧電源が放電することによって、少なくとも一色の光源を放出する、少なくとも一つの冷陰極（Cold  Cathode  Fluorescent  Lamp、CCFL）と、
コンピュータのハウジング内に配置され、音響効果ソフトウェアを実行することにより、発光パルス信号を出力する、マザーボードと、
当該マザーボード上に設けられ、当該冷陰極の高圧電線に電気的に接続され、当該発光パルス信号を受信して、当該高圧電源に変換することにより、当該冷陰極を発光フリッカーさせる、制御回路と、
がある、ことを特徴とする、マザーボードのデジタル音源で冷陰極（Cold  Cathode  Fluorescent  Lamp、CCFL）の発光フリッカーを制御する装置。
【請求項９】
当該音響効果ソフトウェアは、少なくとも一つの出力音量制御オプション及び出力音声周波数制御オプションがあり、音量の大きさ及び音声周波数の高さに従って、当該発光パルス信号の出力を制御する、ことを特徴とする、請求項８記載のマザーボードのデジタル音源で冷陰極の発光フリッカーを制御する装置。
【請求項１０】
当該音響効果ソフトウェアは、少なくとも一つの出力音量制御オプションがあり、音量の大きさに従って、当該発光パルス信号の出力を制御する、ことを特徴とする、請求項８記載のマザーボードのデジタル音源で冷陰極の発光フリッカーを制御する装置。
【請求項１１】
当該音響効果ソフトウェアは、少なくとも一つの出力音声周波数制御オプションがあり、音声周波数の高さに従って、当該発光パルス信号の出力を制御する、ことを特徴とする、請求項８記載のマザーボードのデジタル音源で冷陰極の発光フリッカーを制御する装置。
【請求項１２】
当該制御回路には、更に、
当該発光パルス信号の制御を受けて、電力源を出力することを開閉する、少なくとも一つのスイッチ素子と、
当該スイッチ素子に電気的に接続され、当該電力源を当該高圧電源に昇圧して、当該冷陰極へ出力する、昇圧素子と、
当該高圧電源に電気的に接続され、当該高圧電源のエネルギーを蓄積する、少なくとも一つの蓄積エネルギー素子と、
がある、ことを特徴とする、請求項８記載のマザーボードのデジタル音源で冷陰極の発光フリッカーを制御する装置。
【請求項１３】
コンピュータのハウジングや周囲に発光フリッカーで綺麗な造型を形成できる、
高圧電線が接続され、高圧電源が放電することによって、少なくとも一色の光源を放出する、少なくとも一つの冷陰極（Cold  Cathode  Fluorescent  Lamp、CCFL）と、
コンピュータのハウジング内に配置され、音響効果ソフトウェアを実行することにより、発光パルス信号を、コンピュータ接続ポートへ出力する、マザーボードと、
当該コンピュータ出力ポート及び当該冷陰極の高圧電線に電気的に接続され、当該発光パルス信号を受信して、当該高圧電源に変換することにより、当該冷陰極を発光フリッカーさせる、制御器と、
がある、ことを特徴とする、マザーボードのデジタル音源で冷陰極（Cold  Cathode  Fluorescent  Lamp、CCFL）の発光フリッカーを制御する装置。
【請求項１４】
当該コンピュータ接続ポートは、ユニバーサルシリアルバス(Universal  Serial  Bus、USB)や並列転送ポート或いは直列の転送ポートである、ことを特徴とする、請求項１３記載のマザーボードのデジタル音源で冷陰極の発光フリッカーを制御する装置。
【請求項１５】
当該音響効果ソフトウェアは、少なくとも一つの出力音量制御オプションがあり、音量の大きさに従って、当該発光パルス信号の出力を制御する、ことを特徴とする、請求項１３記載のマザーボードのデジタル音源で冷陰極の発光フリッカーを制御する装置。
【請求項１６】
当該音響効果ソフトウェアは、少なくとも一つの出力音声周波数制御オプションがあり、音声周波数の高さに従って、当該発光パルス信号の出力を制御する、ことを特徴とする、請求項１３記載のマザーボードのデジタル音源で冷陰極の発光フリッカーを制御する装置。
【請求項１７】
当該音響効果ソフトウェアは、少なくとも一つの出力音量制御オプション及び出力音声周波数制御オプションがあり、音量の大きさ及び音声周波数の高さに従って、当該発光パルス信号の出力を制御する、ことを特徴とする、請求項１３記載のマザーボードのデジタル音源で冷陰極の発光フリッカーを制御する装置。
【請求項１８】
当該制御器には、更に、
当該コンピュータ出力ポートに電気的に接続され、当該コンピュータ出力ポート上の電力源を捕獲（キャプチャ）して、また、当該発光パルス信号の制御をうけて、当該電力源を出力することを開閉する、少なくとも一つのスイッチ素子と、
当該スイッチ素子に電気的に接続され、当該電力源を当該高圧電源に昇圧して、当該冷陰極へ出力する、昇圧素子と、
当該高圧電源に電気的に接続され、当該高圧電源のエネルギーを蓄積する、少なくとも一つの蓄積エネルギー素子と、
がある、ことを特徴とする、請求項１３記載のマザーボードのデジタル音源で冷陰極の発光フリッカーを制御する装置。
【発明の詳細な説明】
【技術分野】
【０００１】
本発明は、マザーボードのデジタル音源で冷陰極（Cold  Cathode  Fluorescent  Lamp、CCFL）の発光フリッカーを制御する方法及び装置に関し、特に、コンピュータのハウジングや周囲に、発光可能な冷陰極（CCFL）を付加して、マザーボード上のデジタル音声信号を捕獲（キャプチャ）することによって、冷陰極（CCFL）の発光フリッカーを制御する方法及びその装置に関する。
【背景技術】
【０００２】
コンピュータ技術の進歩に従って、現代においては人々の生活がコンピュータと密接に関連され、また、多くの人はコンピュータの実用性によりコンピュータを購入するが、ある人は、コンピュータの外観をコンピュータの購入基準とし、そのため、コンピュータメーカはコンピュータのハードウェアについて研究開発して革新することだけでなく、コンピュータの外観造型についても新鋭かつ美観の造型を開発しなければならない。
【０００３】
美感としては、外観造型だけではなく、綺麗で多彩な灯光があれば、その美感や雰囲気が更に著しくなり、そのため、舞台においては、鮮やかな多彩な灯光により、美感という効果を増大し、また、音声の大きさによって灯光源フリッカーを制御することで、綺麗な舞台効果を形成する。
【０００４】
そのため、ある業者は、冷陰極（CCFL）と、其れに合わせる制御回路と、コンピュータのサウンドカードとの組み合わせを、コンピュータのハウジング上に配置することによって、コンピュータの外観造型に、綺麗な発光効果を形成することを提案した。冷陰極（CCFL）は、高圧ガスによって放電する発光体で、小さい出力パワーと低い消費電力という効果があり、また、冷陰極（CCFL）の色は、鮮やかであるため、コンピュータの制御によって、数百種類の色の変化ができ、更に、冷陰極（CCFL）は、高熱や輻射等の問題がないため、工程に応じて湾曲されることができ、安価かつ高効率な発光素子として、非常に適当である。
【０００５】
しかしながら、既存のコンピュータのハウジング上に配置される冷陰極（CCFL）は、コンピュータのサウンドカードの音声出力端やマルチメディアスピーカーの音声入力端に接続されること、或いは外部のマイクロホンから音声を受け取ることを介して、音声の音量を捕獲（キャプチャ）して、冷陰極（CCFL）の発光フリッカーを制御するが、このような方法は、コンピュータからのノイズや外部のノイズによって、発光フリッカーの効果が干渉され、また、冷陰極（CCFL）の制御回路が、サウンドカードやマルチメディアのスピーカーの抵抗マッチングに合わせなければならないので、回路の形成が、複雑になり、業者のコストが高く付く。
【０００６】
本発明者は、上記の、既存のコンピュータに配置される冷陰極（CCFL）の制御回路にある不便や欠点を解決するため、鋭意研究を重ねたことと、学理的な運用とにより、直接コンピュータのソフトウェアからコンピュータのマザーボード上にあるデジタル音源を捕獲（キャプチャ）して、発光フリッカー信号を冷陰極（CCFL）へ出力することを制御することにより、発光効果を実現し、設計が合理的であり、かつ有効に上記の欠点を改善できる、制御回路を提案する。
【発明の開示】
【発明が解決しようとする課題】
【０００７】
本発明の目的は、直接にコンピュータのソフトウェアからコンピュータのマザーボード上にあるデジタル音源を捕獲（キャプチャ）して、発光信号を冷陰極（CCFL）へ出力することを制御することにより、発光効果を実現し、これにより、コンピュータに、舞台のような灯光フリッカーという効果があることが達成され、また、制御回路が簡単化されることにより、外部のノイズ干渉を受けず、ユーザーが、ソフトウェアで自由自在に、音楽が所定の周波や音量である時、冷陰極（CCFL）を点灯することを制御する効果がある、マザーボードのデジタル音源で冷陰極（CCFL）の発光フリッカーを制御する方法を提供する。
【課題を解決するための手段】
【０００８】
本発明は、上記の目的を達成するため、まず、当該コンピュータのマザーボードが、電力源を供給して、高圧電源に昇圧して、少なくとも一つの冷陰極（CCFL）を点灯し、そして、音響効果ソフトウェアを実行して、当該マザーボード上にあるデジタル音声信号を捕獲（キャプチャ）し、当該デジタル音声信号にある音声周波数の高さや音量の大きさに従って、発光パルス信号に変換し、また、当該発光パルス信号で当該電力源の開閉を制御し、これにより、当該冷陰極（CCFL）の発光フリッカーを制御する、メモリとコンパイルインターフェースを統合するプログラマブルな制御チップを提供する。
【０００９】
更に、本発明は、コンピュータのハウジングや周囲に発光フリッカーで綺麗な造型を形成できる、少なくとも一つの冷陰極（CCFL）と、マザーボードと、制御回路とを有し、当該冷陰極（CCFL）には、高圧電線が接続され、高圧電源が放電することによって、少なくとも一色の光源を放出し、また、当該マザーボードは、音響効果ソフトウェアを実行して、発光パルス信号を出力し、当該制御回路が、当該マザーボード上に設けられ、当該冷陰極（CCFL）の高圧電線に電気的に接続され、当該発光パルス信号を受信して、それを当該高圧電源に変換することによって、当該冷陰極（CCFL）を発光フリッカーさせる、マザーボードのデジタル音源で冷陰極（CCFL）の発光フリッカーを制御する装置を提供する。
【００１０】
更に、本発明は、コンピュータのハウジングや周囲に発光フリッカーで綺麗な造型を形成できる、少なくとも一つの冷陰極（CCFL）と、マザーボードと、制御器とを有し、当該冷陰極（CCFL）には、高圧電線が接続され、高圧電源が放電することによって、少なくとも一色の光源を放出し、また、当該マザーボードは、音響効果ソフトウェアを実行して、発光パルス信号をコンピュータの出力ポートへ出力し、当該制御器が、当該コンピュータの出力ポートと当該冷陰極（CCFL）の高圧電線に電気的に接続され、当該発光パルス信号を受信して、それを当該高圧電源に変換することによって、当該冷陰極（CCFL）を発光フリッカーさせる、マザーボードのデジタル音源で冷陰極（CCFL）の発光フリッカーを制御する装置を提供する。
【発明を実施するための最良の形態】
【００１１】
以下に、図を参照しながら、本発明において、目的を達成するための技術や手段及び効果を詳しく説明することにより、本発明の目的や特徴及び利点がより深くかつ具体的に理解できると思うが、付録する図は、参考として、かつ説明用であり、本発明は、それによって制限されるものではない。
【００１２】
本発明は、主として、少なくとも一つの冷陰極（Cold  Cathode  Fluorescent  Lamp、CCFL）を、コンピュータのハウジング上に、或いはコンピュータの周辺製品上に実装するもので、本発明にかかわる二つの実施例は次のようであり、その一つは、冷陰極（CCFL）の制御回路が、コンピュータのマザーボード上に構築され、コンピュータのマザーボードが、直接、当該冷陰極（CCFL）を点灯する電力源を供給する。もう一つは、コンピュータ接続ポート(例えば、並列や直列の転送ポート、或いはユニバーサルシリアルバス(Universal  Serial  Bus、USB))の出力ポートを介して冷陰極（CCFL）の制御器を接続し、コンピュータ接続ポートから、冷陰極（CCFL）を点灯する電力源を供給し、また、冷陰極（CCFL）に、湾曲可能や発熱せず及び低いパワーの特徴によって、コンピュータには、綺麗な外観造型を与えることでなく、音声や光のフリッカーという綺麗な効果もある。
【００１３】
一般的に、冷陰極（CCFL）は、青色、赤色、紫色、緑色及びRGBの五つの色があり、ガス放電によって、発光する素子であり、図１は、本発明の第１の実施例の外観概念図で、本発明は、少なくとも一つの冷陰極（CCFL）１０をコンピュータのハウジング１１上に実装するものを、実施例として説明し、図２は、第１の実施例の回路構造のブロック図である。
【００１４】
本発明は、透過材であるコンピュータのハウジング１１が使われ、コンピュータのハウジング１１の内部周縁上に、冷陰極（CCFL）１０をグリップするための複数の管押え１２が設けられ、また、冷陰極（CCFL）１０には、高圧電線１３が接続され、当該冷陰極（CCFL）１０は、方形状や円形状に湾曲され、可動的に、コンピュータのマザーボード２０上に接続される。
【００１５】
マザーボード２０は、コンピュータのハウジング１１内に配置され、音響効果ソフトウェア２１を実行することによって、発光パルス信号２２を、制御回路３０へ出力し、また、制御回路３０は、マザーボード２０上に配置され、冷陰極（CCFL）１０の高圧電線１３に電気的に接続され、発光パルス信号２２を受信して、それを高圧電源２３に変換し、そして、マザーボード２０により、高圧電源２３を冷陰極（CCFL）１０へ供給し、これにより、冷陰極（CCFL）１０が放電して、少なくとも一色の光源を放出する。
【００１６】
音響効果ソフトウェア２１は、コンピュータ上に実行される制御ソフトウェアであり、コンピュータ上で放送された音楽や音響効果或いは多媒体ファイルを捕獲（キャプチャ）して、デジタル音声信号２４を生成し、音響効果ソフトウェア２１を実行することによって、コンピュータのディスプレイには、複数の音声周波数制御オプション及び複数の音量制御オプションが表示され、ユーザーは、発光パルス信号２２を出力する、１００〜２０kHzの音声周波数を選択でき、或いは、発光パルス信号２２を出力する音量の大きさや発光パルス信号２２を出力する音声周波数及び音量の組み合わせを選択でき、これにより、当該冷陰極（CCFL）は、デジタル音声信号２４に、所定の音声周波数や音量が含まれている時、発光フリッカーする。
【００１７】
この時、制御回路３０には、少なくとも一つのスイッチ素子３１と、昇圧素子３２と、少なくとも一つの蓄積エネルギー素子３３とがあり、スイッチ素子３１は、発光パルス信号２２の制御を受けるための、トランジスターやMOSFETトランジスター或いはリレーであり、これらの開閉に従って電力源を出力し、昇圧素子３２は、スイッチ素子３１に電気的に接続される、昇圧変圧器で、電力源を高圧電源２３に昇圧して冷陰極（CCFL）１０へ出力し、蓄積エネルギー素子３３は、高圧電源２３に電気的に接続される、容量器で、高圧電源２３のエネルギーを蓄積する。
【００１８】
図３は、本発明の第２の実施例の外観概念図で、図４は、本発明の第２の実施例の回路構造のブロック図である。この実施例は、外部接続方式であり、コンピュータのハウジング１１の外部周縁上には、冷陰極（CCFL）１０をグリップするための複数の管押え１２が設置され、同じように、冷陰極（CCFL）１０には、高圧電線１３が接続される。
【００１９】
マザーボード４０も、コンピュータのハウジング１１内に配置され、その上には、少なくとも一つのUSBコンピュータ出力ポート４１がもうけられ、音響効果ソフトウェア４２を実行することによって、発光パルス信号４３は、USBコンピュータ出力ポート４１へ出力され、音響効果ソフトウェア４２は、同じように、マザーボード４０のデジタル音声信号４４を捕獲（キャプチャ）して、選択したデジタル音声信号４４上の音声周波数の高さや音量の大きさに従って、出力する発光パルス信号４３を変換する。
【００２０】
本実施例には、制御器５０があり、その上には、USBコンピュータ出力ポート４１に電気的に接続される、USB接続線５１が設けられ、また、冷陰極（CCFL）１０の高圧電線１３に電気的に接続される、高圧線接続端が設けられ、制御器５０は、前記の制御回路と同じであるが、異なるのは、制御器５０は、外部の装置であり、その内には、同じように、少なくとも一つのスイッチ素子５３と、昇圧素子５４と、少なくとも一つの蓄積エネルギー素子５５とがあり、発光パルス信号４３を受信して、それを高圧電源に変換し、そして、冷陰極（CCFL）１０へ出力することによって、冷陰極（CCFL）１０を発光フリッカーする。
【００２１】
図５は、本発明の流れ図である。本発明は、コンピュータのマザーボード上にあるデジタル音声信号を捕獲（キャプチャ）して、冷陰極（CCFL）の発光フリッカーを制御する方法で、まず、当該コンピュータのマザーボードが、電力源(S１００)を供給し、それが高圧電源(S１０２)に昇圧されることによって、少なくとも一つの冷陰極（CCFL）を点灯し、また、当該マザーボードが、直接、１２Vの電圧を供給してから、或いは、USBコンピュータ出力ポートが、５Vの電圧を供給してから、高圧電源に昇圧して、当該冷陰極（CCFL）を点灯してもいい。
【００２２】
そして、音響効果ソフトウェア(S１０４)を実行して、当該マザーボード上にあるデジタル音声信号(S１０6)を捕獲（キャプチャ）して、そして、それを、当該デジタル音声信号にある音声周波数の高さや音量の大きさに従って発光パルス信号(S１０8)に変換し、また、当該発光パルス信号によって、当該電力源の開閉(S１１０)が制御され、これにより、当該冷陰極（CCFL）の発光フリッカー(S１１２)を制御する。
【００２３】
以上の図式や説明は、本発明の実施例だけであり、この技術を良く分かるものであれば、上記の説明に従ってさまざまな改良ができ、これらの変更も本発明の発明精神や特許請求の範囲に含まれるべきである。
【図面の簡単な説明】
【００２４】
【図１】本発明の第１の実施例の外観概念図である。
【図２】第１の実施例の回路構造のブロック図である。
【図３】本発明の第２の実施例の外観概念図である。
【図４】第２の実施例の回路構造のブロック図である。
【図５】本発明の流れ図である。
【符号の説明】
【００２５】
１０        冷陰極（CCFL）
１１        コンピュータのハウジング
１２        管押え
１３        高圧電線
２０、４０  マザーボード
２１        音響効果ソフトウェア
２２、４３  発光パルス信号
２３        高圧電源
２４、４４  デジタル音声信号
３０        制御回路
３１、５３  スイッチ素子
３２、５４  昇圧素子
３３、５５  蓄積エネルギー素子
４１        USBコンピュータ出力ポート
４２        音響効果ソフトウェア
５０        制御器
５１        USB接続線
【図１】
2005259675.tif 000003
【図２】
2005259675.tif 000004
【図３】
2005259675.tif 000005
【図４】
2005259675.tif 000006
【図５】
2005259675.tif 000007